(57)【要約】      （修正有）【課題】同一チャンネル内の番組を切り替える際に映像の変化による違和感を軽減した「ディジタル放送受信装置および番組の切り替え方法」を提供する。【解決手段】フルセグメント番組からワンセグメンと番組への切り替えを行うとき両者の映像データの連続性を判定する判定部と、判定部により連続性がないと判定された場合に、フルセグメント番組の映像とワンセグメント番組の映像の間にフェードインおよびフェードアウトの少なくとも一方を行うための映像を出力する描画処理部とを有する。【選択図】図１
2010171787.tif 000002
【特許請求の範囲】
【請求項１】
１つの伝送帯域を複数のセグメントに分割し、少なくとも１つのセグメントを利用した第１の変調方式による第１の番組と当該少なくとも１つのセグメントと異なるセグメントを利用した第２の変調方式による第２の番組を１つのチャンネルに含むディジタル放送を受信可能なディジタル放送受信装置であって、
ディジタル放送を受信する受信手段と、
受信したディジタル放送の受信感度を抽出する感度抽出手段と、
第１の番組から第２の番組または第２の番組から第１の番組への切り替えを行う切り替え手段と、
前記切り替え手段により切り替えられた第１または第２の番組を出力する出力手段と、
前記抽出手段により抽出された受信感度に基づき前記切り替え手段を制御する切換制御手段と、
第１の番組から第２の番組への切り替えを行う場合に、第１の番組の第１の映像データと第２の番組の第２の映像データの連続性を判定する判定手段と、
前記判定手段により連続性がないと判定された場合に、前記出力手段が第１の映像データと第２の映像データを出力する間にフェードインおよびフェードアウトの少なくとも一方を行うための映像が出力されるように前記出力手段を制御する出力制御手段と、
を有するディジタル放送受信装置。
【請求項２】
前記判定手段は、第１の映像データと第２の映像データの輝度分布を比較して連続性を判定する、請求項１に記載のディジタル放送受信装置。
【請求項３】
前記判定手段は、第１の映像データと第２の映像データのＲ、Ｇ、Ｂの少なくとも１つの色合いの分布を比較して連続性を判定する、請求項１に記載のディジタル法送受信装置。
【請求項４】
前記判定手段は、第１の映像データと第２の映像データの差分と閾値とを比較して連続性を判定する、請求項１に記載のディジタル放送受信装置。
【請求項５】
前記出力手段は、前記出力制御手段からの制御信号に基づき第１の映像データまたは第２のデータに基づきフェードアウトまたはフェードインのための映像データを出力する、請求項１に記載のディジタル放送受信装置。
【請求項６】
前記出力手段は、連続性があると判定された場合には、受信感度が悪化した時点から連続性の判定を行うまでの期間に第１の映像データの静止画を出力し、その後に第２の映像データを出力し、他方、連続性がないと判定された場合には、受信感度が悪化した時点から連続性の判定を行うまでの期間に第１の映像データの静止画を出力し、次に第１の映像データをフェードアウトする映像および第２の映像データをフェードインするための映像の少なくとも一方を出力し、次に第２の映像データを出力する、請求項１または５に記載のディジタル放送受信装置。
【請求項７】
１つの伝送帯域を複数のセグメントに分割し、少なくとも１つのセグメントを利用した第１の変調方式による第１の番組と当該少なくとも１つのセグメントと異なるセグメントを利用した第２の変調方式による第２の番組を１つのチャンネルに含むディジタル放送を受信可能なディジタル放送受信装置における番組の切り替え方法であって、
選択されたチャンネルのディジタル放送を受信するステップと、
受信したディジタル放送の受信感度が悪化か否かを判定するステップと、
受信感度が悪化したと判定したとき、第１の番組の第１の映像データと第２の番組の第２の映像データの連続性を判定するステップと、
連続性があると判定されたとき、第１の映像データを出力した後に第２の映像データを出力し、連続性がないと判定されたとき、第１の映像データを出力した後に、第１の映像データをフェードアウトするための映像データおよび第２の映像データをフェードインするための映像データの少なくとも一方を出力し、その後に第２の映像データを出力するステップと、
を有する番組の切り替え方法。
【請求項８】
連続性を判定するステップは、第１の映像データと第２の映像データの輝度分布を比較して連続性を判定する、請求項７に記載の番組の切り替え方法。
【請求項９】
連続性を判定するステップは、第１の映像データと第２の映像データのＲ、Ｇ、Ｂの少なくとも１つの色合いの分布を比較して連続性を判定する、請求項７に記載の番組の切り替え方法。
【請求項１０】
連続性を判定するステップは、第１の映像データと第２の映像データの差分と閾値とを比較して連続性を判定する、請求項７に記載の番組の切り替え方法。
【請求項１１】
出力するステップは、連続性があると判定された場合には、受信感度が悪化した時点から連続性の判定を行うまでの期間に第１の映像データの静止画を出力し、次に第２の映像データを出力し、連続性がないと判定された場合には、受信感度が悪化した時点から連続性の判定を行うまでの期間に第１の映像データの静止画を出力し、
次に第１の映像データをフェードアウトする映像および第２の映像データをフェードインするための映像の少なくとも一方を出力し、次に第２の映像データを出力する、請求項７に記載の番組の切り替え方法。
【発明の詳細な説明】
【技術分野】
【０００１】
本発明は、ディジタルテレビ放送を受信する機能を備えた車載用受信装置に関し、特に、主階層放送番組（例えば、フルセグメントを利用した固定受信向けサービスの番組）と副階層放送番組（例えば、ワンセグメントを利用した移動体／携帯向けサービスの番組）のの切り替えに関する。
【背景技術】
【０００２】
地上ディジタル放送は、１チャンネルの伝送帯域を１３のセグメントに分割し、セグメント単位で異なる変調方式を採用することで、固定受信機向けの放送サービス（いわゆるフルセグメント放送）と、移動体／携帯端末向けの放送サービス（いわゆるワンセグメント）放送とを同時に送信することを可能にしている。
【０００３】
直交周波数分割多重方式（以下、ＯＦＤＭと称す）は、周波数軸上に狭帯域の搬送波を複数並べ、各搬送波にデータを振り分けて伝送するものであり、移動受信時に一部の搬送波の波形が乱れても、その周波数を使用して伝送するデータに誤りが発生するだけで、他の搬送波からのデータにより補正が可能であり、マルチパス干渉に強い。日本の地上ディジタル放送では、ＯＦＤＭのスペクトルラムを周波数毎に１３のセグメントに分割し、例えば第１から第６セグメントおよび第８から第１３のセグメントがフルセグメント放送に割り当てられ、これらのセグメントは、６４直交振幅変調（６４ＱＡＭ）により変調され、第７セグメントがワンセグメント放送に割り当てられ、ＱＰＳＫ等により変調される。
【０００４】
ＱＡＭとは、多数の振幅偏移変調を直交位相変調することで、位相変化と振幅変化を組み合わせた変調方式であり、１シンボル当たりの情報量を多くすることができるため、伝送効率が良いという利点があるが、高いＣＮ比(Carrier to Noise ratio)が必要となる。したがって、ＱＡＭ変調を用いたフルセグメント放送は、良好な電波状態でなければ、その番組を視聴することができない。
【０００５】
他方、位相偏移変調（ＰＳＫ）は、一定周波数の搬送波の位相を変化させることで変調するものであり、位相の種類を増やすことにより、変調１回当たりの送信するビットを増やすことができる。特に、ＱＰＳＫとは、１回の変調で２ビットを伝送するものである。ＱＰＳＫは、ＱＡＭと比較して伝送できる情報量は少ないが、電波状態が悪くＣＮ比が低い場合でも、情報を伝達でき、ノイズ耐性が高いという利点がある。
【０００６】
車載用の地上ディジタル受信装置では、受信エリアを広げるため、フルセグメント放送とワンセグメント放送の双方を自動的に切り替える階層間受信を行っている。つまり、自車の走行位置や受信環境によって電波状態が異なるため、受信状態が比較的良好な地域では、ノイズ耐性の低いフルセグメント放送を受信しこれを高品位にて出力し、受信状態が悪い地域では、ノイズ耐性の高いワンセグメント放送を受信しこれを出力している。
【０００７】
こうしたフルセグメント放送とワンセグメント放送の階層間受信の切り替えに関して、例えば、特許文献１は、フルセグメント放送の番組の誤り率がしきい値を越えると、ワンセグメント放送の番組に切り替え、フルセグメント放送の受信状態が回復しても、一定時間が経過するまではワンセグメント放送を出力する技術を開示している。特許文献２は、フルセグメント放送の映像サイズとワンセグメント放送の映像サイズがディスプレイの表示サイズとそれぞれ異なるため、フルセグメントおよびワンセグメントの映像サイズを表示サイズに調整する技術を開示している。特許文献３は、出力しているフルセグメント放送番組の受信状態が悪化したとき、フルセグメント放送の番組とワンセグメント放送の番組が一致すれば、自動的にワンセグメント放送の番組に切り替える技術を開示している。
【先行技術文献】
【特許文献】
【０００８】
【特許文献１】特開２００７−１８４９７号公報
【特許文献２】特開２００６−２７０２３１号公報
【特許文献３】特開２００６−５０５４０号公報
【発明の概要】
【発明が解決しようとする課題】
【０００９】
現状の車載用のディジタル放送受信装置では、フルセグメント放送の番組からワンセグメント放送の番組へ移行する場合に、フルセグメント放送で受信していた番組の映像を静止画として一定時間固定した状態からワンセグメントの番組の映像に切り替えている。
【００１０】
しかし、このような番組の切り替えを行う場合に、ワンセグメント放送を受信可能な電波状況であれば問題はないが、例えば、トンネル内など電波状況が悪く、数分間ワンセグメント放送すら受信できないと、フルセグメント放送の受信時の番組映像と大きく変化していることがあり、ユーザが違和感を覚えることがある。また、仮にワンセグメント放送を受信可能な電波状況であったとしても、フルセグメント放送を受信することができないときの静止画の映像から、次に切り替わるワンセグメントの番組映像が、例えば爆発シーンやフラッシュが発光したような刺激的なシーンであると、映像の変化が大きく、視聴者が驚いたりストレスを感じてしまう。
【００１１】
本発明は、このような従来の課題を解決するものであり、１つのチャンネル内の番組を切り替える際に、映像の変化による視聴者への違和感やストレスを軽減可能なディジタル放送受信装置およびその番組切り替え方法を提供することを目的とする。
【課題を解決するための手段】
【００１２】
本発明に係るディジタル放送受信装置は、１つの伝送帯域を複数のセグメントに分割し、少なくとも１つのセグメントを利用した第１の変調方式による第１の番組と当該少なくとも１つのセグメントと異なるセグメントを利用した第２の変調方式による第２の番組を１つのチャンネルに含むディジタル放送を受信可能であって、ディジタル放送を受信する受信手段と、受信したディジタル放送の受信感度を抽出する感度抽出手段と、第１の番組から第２の番組または第２の番組から第１の番組への切り替えを行う切り替え手段と、前記切り替え手段により切り替えられた第１または第２の番組を出力する出力手段と、前記抽出手段により抽出された受信感度に基づき前記切り替え手段を制御する切換制御手段と、第１の番組から第２の番組への切り替えを行う場合に、第１の番組の第１の映像データと第２の番組の第２の映像データの連続性を判定する判定手段と、前記判定手段により連続性がないと判定された場合に、前記出力手段が第１の映像データと第２の映像データを出力する間にフェードインおよびフェードアウトの少なくとも一方を行うための映像が出力されるように前記出力手段を制御する出力制御手段とを有する。
【００１３】
好ましくは前記判定手段は、第１の映像データと第２の映像データの輝度分布を比較して連続性を判定する。また、前記判定手段は、第１の映像データと第２の映像データのＲ、Ｇ、Ｂの少なくとも１つの色合いの分布を比較して連続性を判定してもよい。前記判定手段は、第１の映像データと第２の映像データの差分と閾値とを比較して連続性を判定するようにしてもよい。好ましくは前記出力手段は、前記出力制御手段からの制御信号に基づき第１の映像データまたは第２のデータに基づきフェードアウトまたはフェードインのための映像データを出力する。好ましくは前記出力手段は、連続性があると判定された場合には、受信感度が悪化した時点から連続性の判定を行うまでの期間に第１の映像データの静止画を出力し、その後に第２の映像データを出力し、他方、連続性がないと判定された場合には、受信感度が悪化した時点から連続性の判定を行うまでの期間に第１の映像データの静止画を出力し、次に第１の映像データをフェードアウトする映像および第２の映像データをフェードインするための映像の少なくとも一方を出力し、次に第２の映像データを出力する。
【００１４】
本発明に係るディジタル放送受信装置における番組の切り替え方法は、１つの伝送帯域を複数のセグメントに分割し、少なくとも１つのセグメントを利用した第１の変調方式による第１の番組と当該少なくとも１つのセグメントと異なるセグメントを利用した第２の変調方式による第２の番組を１つのチャンネルに含むディジタル放送を受信可能であって、選択されたチャンネルのディジタル放送を受信するステップと、受信したディジタル放送の受信感度が悪化か否かを判定するステップと、受信感度が悪化したと判定したとき、第１の番組の第１の映像データと第２の番組の第２の映像データの連続性を判定するステップと、連続性があると判定されたとき、第１の映像データを出力した後に第２の映像データを出力し、連続性がないと判定されたとき、第１の映像データを出力した後に、第１の映像データをフェードアウトするための映像データおよび第２の映像データをフェードインするための映像データの少なくとも一方を出力し、その後に第２の映像データを出力するステップとを有する。
【発明の効果】
【００１５】
本発明によれば、第１の番組から第２の番組への切り替えを行う際に、映像データに連続性がないと判定された場合は、フェードインまたはフェードアウトの処理を付加するようにしたので、映像の急激な変化を緩和することができ、視聴者への違和感やストレスを軽減することができる。
【図面の簡単な説明】
【００１６】
【図１】本発明の実施例に係るディジタル放送受信装置の構成を示すブロック図である。
【図２】図１の描画処理部の構成を示すブロック図である。
【図３】本発明の実施例に係るディジタル放送受信装置の番組の切り替え動作を示すフローチャートである。
【図４】図２の判定部の構成を示すブロック図である。
【図５】判定動作を示すタイミングチャートである。
【図６】本実施例の映像の連続性の判定例を示す図である。
【図７】本実施例の他の映像の連続性の判定例を示す図である。
【図８】映像の連続性をブロック単位で判定するときの例を説明する図である。
【図９】本実施例による番組の切り替えによる模式的な表示例を示す図である。
【発明を実施するための形態】
【００１７】
以下、本発明を実施の形態について図面を参照して詳細に説明する。本実施の形態のディジタル受信装置は、１つの伝送帯域を複数のセグメントに分割し、１つのチャンネルに、少なくとも１つのセグメントを利用した第１の変調方式による第１の番組と前記少なくとも１つのセグメントと異なるセグメントを利用した第２の変調方式による第２の番組を含むディジタル放送を受信可能である。第１の番組は、例えばフルセグメント放送により提供される番組サービスであり、第２の番組は、ワンセグメント放送により提供される番組サービスである。以下の実施例の説明では、特に断りがない限り、第１の番組は、フルセグメント放送によるもの、第２の番組は、ワンセグメント放送によるものとする。
【実施例】
【００１８】
図１は、本発明の実施例に係る車載用ディジタルテレビ放送受信装置の構成を示すブロック図である。本実施例の車載用受信装置１００は、第１のアンテナ１０２と、第２のアンテナ１０３と、第１のアンテナ１０２に接続された第１のチューナ１０４と、第２のアンテナ１０３に接続された第２のチューナ１０５と、第１のチューナ１０４で受信された信号を復調する第１のＯＦＤＭ復調部１０６と、第２のチューナ１０５で受信された信号を復調する第２のＯＦＤＭ復調部１０７と、第１および第２のＯＦＤＭ復調部１０６、１０７からの信号を合成するダイバーシティ合成部１０８と、受信したディジタル放送の伝送中に生じる誤りを検出しそれを訂正する誤り訂正部１０９と、多重化されているストリームデータを分離し音声ストリーム、映像ストリームおよびデータストリームを抽出するデマルチプレクサ１１０と、第１の番組の音声ストリームをデコードしディジタル音声信号を生成する第１の音声デコーダ１１１と、第２の番組の音声ストリームをデコードしディジタル音声信号を生成する第２の音声デコーダ１１２と、第１の番組の映像ストリームをデコードし映像信号を生成する第１の映像デコーダ１１３と、第２の番組の映像ストリームをデコードし映像信号を生成する第２の映像デコーダ１１４と、データストリームをデコードするデータデコーダ１１５と、第１の番組または第２の番組の音声信号の出力を切り替える音声切替処理部１１６と、第１の番組または第２の番組の映像信号の出力を切り替える映像切替処理部１１７と、音声切替処理部１１６から出力されたディジタル音声信号をアナログ音声信号に変換するＤ／Ａコンバータ１１８と、アナログ音声信号を出力するスピーカ１１９と、映像切替処理部１１７から出力された映像信号をディスプレイに描画するための描画処理部１２０と、ディスプレイ１２１と、各部を制御する制御部１２２と、ユーザからの入力を受け取る入力部１２３とを有する。
【００１９】
第１および第２のチューナ１０４、１０５は、入力部１２３からのユーザの入力に応じて、選択されたチャンネルの周波数のディジタル放送を受信し、これを第１および第２のＯＦＤＭ復調部１０６、１０７へ出力する。第１および第２のＯＦＤＭ復調部１０６、１０７は、受信した信号を復調してトランスポートストリームを生成する。ダイバーシティ合成部１０８は、第１のＯＦＤＭ復調部１０６からのトランスポートストリームの位相を制御する位相器１０８ａおよび位相制御されたトランスポートストリームと第２のＯＦＤＭ復調部１０７からのトランスポートストリームを合成する合成器１０８ｂを含み、ダイバーシティ合成されたトランスポートストリームを誤り訂正部１０９へ出力する。ダイバーシティ合成を用いることで受信性能は向上するが、これは必須ではない。
【００２０】
誤り訂正部１０９は、トランスポートストリームから受信したディジタル放送の伝送中の誤り率を算出し、誤り率を示す信号ＢＥＲを制御部１２２へ出力する。制御部１２２は、誤り率と閾値とを比較し、誤り率が閾値を超えるとき、受信感度が悪化していると判定し、閾値以下のとき受信感度が良好であると判定する。閾値は、例えば制御部１２２の不揮発性の書き換え可能なメモリに格納されている。なお、本実施例では、受信感度の判定に誤り率を用いるが、これ以外にも、第１および第２のチューナ１０４、１０５の受信強度が監視することで受信感度を判定することも可能である。
【００２１】
デマルチプレクサ１１０は、入力したトランスポートストリームに多重化されている音声ストリーム、映像ストリームおよびデータストリームを分離し、それぞれのストリームをデコーダ１１１、１１２、１１３、１１４、１１５へ出力する。データストリームには、データ放送用の情報ストリームが含まれ、そこには、番組の名称、放送日時、番組内容、番組を識別するためのイベントＩＤ等を有するＥＩＴ（Event Information Table）が含まれている。
【００２２】
第１の音声デコーダ１１１は、フルセグメントの番組、すなわち第１の番組の音声ストリームをデコードし、ディジタル音声信号を出力する。第２の音声デコーダ１１２は、ワンセグメントの番組、すなわち第２の番組の音声ストリームをデコードし、ディジタル音声信号を出力する。第１の映像デコーダ１１３は、フルセグメントの番組、すなわち第１の番組の映像ストリームをデコードし、第２の映像デコーダ１１４は、ワンセグメントの番組、すなわち第２の番組の映像ストリームをデコードし、それぞれ映像信号を出力する。データデコーダ１１５は、データストリームをデコードし、その結果を制御部１２２へ出力する。
【００２３】
音声切替処理部１１６は、制御部１２２からの切り替え信号Ｓに応じて第１の番組または第２の番組の音声信号の出力を選択し、映像切替処理部１１７は、制御部１２２からの切り替え信号Ｓに応じて第１の番組または第２の番組の映像信号の出力を選択する。Ｄ／Ａコンバータ１１８は、音声切替処理部１１６から出力された音声信号をアナログ音声信号に変換し、スピーカ１１９がこれを出力する。
【００２４】
描画処理部１２０は、映像切替処理部１１７から出力された映像信号をフレームデータに変換し、ディスプレイ１２１の表示サイズに適合するようにスケーリングし、ディスプレイ１２１が映像を出力する。さらに、描画処理部１２０は、後述するように、制御部１２２からの切り替え信号Ｓに応答してフェードインまたはフェードアウトのための映像データの生成、挿入等を行う。入力部１２３は、マウス、キーボード、タッチパネル等のユーザ入力インターフェースを提供し、入力された情報が制御部１２２へ出力される。
【００２５】
図２は、描画処理部の構成を示すブロック図である。描画処理部１２０は、映像切替処理部１１７から出力された映像データを蓄積するバッファメモリ２００と、バッファメモリ２００からの映像データを受け取り、切り替え信号Ｓに応答して切り替える番組の映像に連続性があるか否か、言い換えれば映像の変化が決められた基準よりも大きいか否かをを判定する判定部２１０と、バッファメモリ２００から出力された映像信号をフレームデータに変換し、かつ判定部２１０から映像に連続性がないこと示す信号Ｓ１を受け取ったとき切り替える番組の映像との間にフェードインまたはフェードアウトのための映像を挿入する処理を行う変換処理部２２０とを有している。
【００２６】
次に、本実施例のディジタル放送受信装置の番組の切り替え動作について図３のフローチャートを参照して説明する。先ず、入力部１２３を介してユーザから所望のチャンネルが選択されると、制御部１２２は、第１および第２のチューナ１０４、１０５に選択されたチャンネルのディジタル放送を受信させる。受信されたディジタル放送は、ダイバーシティ合成され、誤り訂正部１０９によって伝送中の誤り率が抽出され、その信号ＢＥＲが制御部１２２へ出力される。制御部１２２は、誤り率が閾値以下か否かを判定し、ここでは、誤り率が閾値以下であり、電波状況が良好であるものとする。
【００２７】
ダイバーシティ合成されたトランスポートストリームは、デマルチプレクサ１１０によって音声ストリーム、映像ストリーム、データストリームに分離され、それらのストリームは各デコーダによってデコードされる。制御部１２２は、受信感度が良好であるため、フルセグメントの番組が出力されるように切り替え信号Ｓを音声切換処理部１１６および映像切換処理部１１７へ出力する。これにより、スピーカ１１９およびディスプレイ１２１からはフルセグメントの番組の音声および映像が出力される（ステップＳ１０１）。
【００２８】
制御部１２２は、受信したディジタル放送の誤り率を監視し、誤り率が閾値を越えたか否か、すなわち受信感度が悪化したか否かを判定する（ステップＳ１０２）。制御部１２２は、受信感度が悪化したと判定すると、切り替え信号Ｓを、音声切換処理部１１６、映像切換処理部１１７および描画処理部１２０へ出力する。音声切換処理部１１６は、切り替え信号Ｓに基づき第１の音声デコーダ１１１から第２の音声デコーダ１１２の音声信号に出力を切り替える。また、映像切替処理部１１７は、第１の映像デコーダ１１３から第２の映像デコーダ１１４の映像信号に出力を切り替える。
【００２９】
描画処理部１２０の判定部２１０が切り替え信号Ｓを受け取ると、判定部２１０は、フルセグメントの番組の映像とワンセグメントの番組の映像との連続性または変化の度合いを判定する（ステップＳ１０３）。判定方法は、後述するように、映像データの輝度分布、映像データの色合いなどを比較し、２つの番組間の映像の特性に連続性があるか否かを判定する。
【００３０】
判定部２１０により映像の連続性があると判定されると（ステップＳ１０４）、変換処理部２２０は、判定部２１０の判定期間の間、フルセグメントの番組の映像の静止画を出力した後直ちに第２の映像デコーダ１１４からのワンセグメントの番組のフレームデータを出力し、ディスプレイ１２１にはワンセグメントの番組が表示される（ステップＳ１０６）。他方、判定部２１０により映像の連続性がないと判定されると（ステップＳ１０４）、変換処理部２２０は、フルセグメントの番組の映像の静止画を出力した後、第１の番組と第２の番組との間をつなぐフェードイン、フェードアウトのための映像を出力する。これにより、ディスプレイ１２１には、フェードイン、フェードアウトのための映像が表示され（ステップＳ１０５）、次いで、ワンセグメントの番組が表示される（ステップＳ１０６）。また、スピーカ１１９からは、フルセグメントの番組からワンセグメントの番組の音声が出力される。
【００３１】
図４は、判定部２１０の構成例を示すブロック図である。判定部２１０は、バッファメモリ２００から読み出されたフルセグメントの番組の映像データ（以下、第１の映像データという）を蓄積する第１の映像メモリ２１１と、ワンセグメントの番組の映像データ（以下、第２の映像データという）を蓄積する第２の映像メモリ２１２と、第１の映像メモリ２１１から読み出された第１の映像データの輝度や色合い等を解析する第１の解析部２１３と、第２の映像メモリ２１２から読み出された第２の映像データの輝度や色合い等を解析する第２の解析部２１４と、第１の解析部２１３による解析結果と第２の解析部２１４による解析結果とから映像の連続性の有無を決定する決定部２１５を有する。
【００３２】
図５は、判定部２１０の動作タイミングを説明する図である。制御部１２２が受信感度が悪化したと判定し、時刻Ｔ１のときに切り替え信号Ｓを音声切替処理部１１６、映像切替処理部１１７および描画処理部１２０へ出力する。映像切替処理部１１７は、切り替え信号Ｓに応答して、第１の映像データＰ０、Ｐ１を出力し、次に、第２の映像データＱ１、Ｑ２、Ｑ３、・・・を出力する。
【００３３】
映像切替処理部１１７から出力された第１の映像データＰ０、Ｐ１は、第１の映像メモリ２１１に蓄積され、第２の映像データＱ１、Ｑ２、Ｑ３・・・は、第２の映像メモリ２１２に蓄積される。第１の解析部２１３は、時刻Ｔ１に応答する第１の映像データＰ１を第１の映像メモリ２１１から読み出し、第１の映像データＰ１の輝度または色合いを解析する。第２の解析部２１４は、時刻Ｔ１に応答する第２の映像データＱ１を第２の映像メモリ２１２から読み出し、第２の映像データＱ１の輝度または色合いを解析する。決定部２１５は、第１および第２の解析部２１３、２１４からの解析結果に基づき映像の連続性の有無を決定する。この決定は、時刻Ｔ２で行われる。決定部２１５は、時刻Ｔ２のとき、連続性の有無を示す決定信号Ｓ１を変換処理部２２０へ出力する。図５の例では、決定信号Ｓ１は、映像に連続性がないとき論理Ｌであり、映像に連続性があるとき論理Ｈである。決定信号Ｓ１の論理Ｈの期間は、フェードイン、フェードアウトの期間を決定することができ、この期間、変換処理部２２０は、フェードイン、フェードアウトの映像を挿入する。
【００３４】
次に、第１および第２の解析部の解析例を説明する。第１および第２の解析部２１３、２１４は、第１および第２の映像データＰ１、Ｑ１の輝度分布を解析する。ここで、第１および第２の映像データＰ１、Ｑ１は、ディスプレイ１２１の１フレームを構成するものとする。図６は、第１および第２の映像データの輝度分布を示すヒストグラムである。横軸は、輝度、縦軸は分布個数である。第１の解析部２１３は、第１の映像データＰ１を解析し、複数のレベルの輝度範囲（０−ｖ１、ｖ１−ｖ２・・・ｖ７−ｖ８）に分布する画素数を算出する。第２の解析部２１４もこれと同様に第２の映像データＱ１の輝度の分布を解析する。但し、第１の映像データＰ１は、第２の映像データＱ１よりもデータ量（画素数）が大きいので、両者の画素数が等しくなるか近似するように第１の映像データＰ１のデータを間引くか、あるいは第２の映像データＱ１を補間する。例えば、第１の映像データＰ１がＨＤＴＶ用であれば、画素数は１２８０×７２０であり、第２の映像データＱ１がＱＶＧＡ用であれば、画素数は３２０×２４０であり、第１の映像データＰ１を１／１２に間引くことで、両者のデータ量また画素数のバランスをとる。
【００３５】
第１および第２の解析部２１３は、上記の輝度の分布の解析に加えて、あるいはこれとは別に、色合いの分布を解析するものであってもよい。例えば、１画素が２４ビットデータであるとき、Ｒ、Ｇ、Ｂは８ビットデータであり、第１の解析部２１３は、第１の映像データＰ１のＲ、Ｇ、Ｂデータのレベルを画素単位で解析する。同様に第２の解析部２１４は、第２の映像データのＱ１の映像データのＲ、Ｇ、Ｂのレベルを画素単位で解析する。
図７は、映像データの色合い分布を示すヒストグラムである。第１および第２の解析部２１３、２１４は、第１の映像データＰ１および第２の映像データＱ１に関し、Ｒ、Ｇ、Ｂの複数のレベルの範囲（０−ｗ１、ｗ１−ｗ２、・・・ｗ７−ｗ８）に分布する画素数を算出する。この際、上記と同様に、第１の映像データＰ１と第２の映像データＱ２のデータ量が近似するように第１の映像データＰ１が間引かれる。
【００３６】
第１および第２の解析部２１３、２１４は、輝度あるいは色合い（Ｒ、Ｇ、Ｂ）の分布する個数を画素単位で算出したが、処理速度を改善するために、予め決められたデータ数をサンプリングし、サンプリングされた画素の分布個数を算出するようにしてもよい。この場合、サンプリングされるデータまたは画素は、フレームデータの全体の領域を満遍なくカバーすることが望ましい。例えば、第１の映像データＰ１が図８に示すようなフレームデータであるとき、フレームデータを複数のブロック（ｍ×ｎ）に分割され、各ブロックに含まれる１つ若しくは複数のデータがサンプリングされるようにし、そのときの画素の分布個数を算出するようにしてもよい。また、サンプリングされたデータをブロックの代表値とし、ブロック単位の分布個数を算出するようにしてもよい。
【００３７】
決定部２１５は、第１の映像データＰ１と第２の映像データＱ２の輝度分布ヒストグラムを比較し、第１の映像データＰ１と第２の映像データＱ１との間に映像の連続性があるか否かを決定する。例えば、図６に示す第１の映像データＰ１のヒストグラムにおいて、輝度範囲ｖ３−ｖ６に含まれる画素数Ｘと、第２の映像データＱ２のヒストグラムにおいて、同様の輝度範囲ｖ３−ｖ６に含まれる画素数Ｙとを比較し、Ｘ−Ｙの差分が閾値以下のとき、２つの映像の輝度が近似し、映像に連続性があると決定する。また、決定部２１５は、第１の映像データＰ１と第２の映像データＱ２の輝度分布の全体の差分を算出し、その差分と閾値とを比較してもよい。これは、言い換えれば、第１の映像データＰ１と第２の映像データＱ１の差分を算出していることに等しい。さらに決定部２１５は、第１および第２の解析部２１３、２１４が図７に示すようなＲ、Ｇ、Ｂの色合いのヒストグラムを解析している場合には、これを利用して映像の連続性を決定することができる。例えば、第１の映像データＰ１のＲのレベルｗ３−ｗ７に含まれる画素数と、第２の映像データＱ１のＲのレベルｗ３−ｗ７に含まれる画素数の差分が閾値以下か否かを判定する。閾値以下であれば、２つの画像は、Ｒの色合いが近似し、映像に連続性があると決定することができる。勿論、Ｇ、Ｂの色合いも組み合わせて映像の連続性を決定することができる。
【００３８】
変換処理部２２０は、映像切換処理部１１６からの第１または第２の映像データを受け取り、これをフレームデータに変換し、ディスプレイ１２１に表示させる。変換処理部２２０は、映像の連続性がないことを示す決定信号Ｓ１を受け取った場合には、フェードイン、フェードアウトの処理を行う。フェードインは、例えば、映像データの輝度を段階的に明るくし、フェードアウトは、例えば映像データの輝度を段階的に暗くするような処理である。フェードインおよびフェードアウトの処理は、これ以外の公知の技術を適用するものであってもよい。
【００３９】
図５に示すように、変換処理部２２０は、映像の連続性があることを示す決定信号Ｓ１を受け取った場合、時刻Ｔ１から時刻Ｔ２までの期間に第１の映像データＰ１の静止画をディスプレイ１２１に表示させ、時刻Ｔ２から第２の映像データＱ１、Ｑ２、Ｑ３、Ｑ４の動画を順次表示させる。他方、映像の連続性がない決定信号Ｓ１を受け取った場合、変換処理部２２０は、時刻Ｔ１から時刻Ｔ２までの期間に第１の映像データＰ１の静止画を表示させた後、時刻Ｔ２から時刻Ｔ３の間にフェードイン、フェードアウトの処理を実行する。具体的には、変換処理部２２０は、期間ＦＯにおいて、静止画として表示されていた第１の映像データＰ１のフェードアウト処理を行う。例えば、第１の映像データＰ１の静止画が徐々に暗くなるような表示を行う。次に、変換処理部２２０は、期間ＦＩにおいて第２の映像データＱ１とＱ２を用いてフェードイン処理を行う。例えば、第２の映像データＱ１とＱ２の動画が徐々に明るくなるような表示を行う。こうして、時刻Ｔ２から時刻Ｔ３までの期間（ＦＯ＋ＦＩ）に、フェードアウトおよびフェードインの処理が実行され、映像シーンの急激な変化が緩和される。
【００４０】
また、映像の連続性がないと判定された場合には、音声データのフェードインおよびフェードアウト処理を併せて行うようにしてもよい。例えば、期間ＦＯにおいてフルセグメントの番組の音声レベルが徐々に小さくなるようにし、期間ＦＯとＦＩの境界で音声が切り替わり、期間ＦＩにおいてワンセグメントの番組の音声レベルが徐々に大きくなるようにしてもよい。
【００４１】
図９は、番組を切り替えたときの模式的な映像の表示例を示している。同図（ａ）に示すように、フルセグメント放送の番組が明るい映像Ｐであり、ワンセグメント放送の番組が明るい映像Ｑであるとき、映像の切り替えによる違和感は少ないので映像に連続性があると判定され、ワンセグメント放送の映像Ｑに切り替われる。同図（ｂ）に示すように、フルセグメント放送の映像が明るい映像Ｐであり、ワンセメンント放送の映像が暗い映像Ｑであるとき、映像に連続性がないと判定され、映像Ｐと映像Ｑとの間に、フェードインおよびフェードアウトした映像の少なくとも一方が挿入される。
【００４２】
以上、本発明の好ましい実施の形態について詳述したが、本発明は、特定の実施形態に限定されるものではなく、特許請求の範囲に記載された本発明の要旨の範囲内において、種々の変形・変更が可能である。
【００４３】
上記実施例では、フルセグメントの番組からワンセグメントの番組への切り替えの際に映像の連続性を判定し、映像の連続性がないときフェードインおよびフェードアウトの処理を行うようにしたが、これとは反対に、ワンセグメントの番組からフルセグメントの番組への切り替えの際に映像の連続性を判定し、映像の連続性がないときフェードインおよびフェードアウトの処理を行うことも可能である。
【００４４】
さらに上記実施例では、第１の映像データのフェードアウトと第２の映像データのフェードインを組み合わせて行う例を示したが、フェードアウトまたはフェードインのいずれか一方の処理を行うようにしてもよい。例えば、図５に示す例では、第１の映像データＰ１のフェードアウトを行ったが、第１の映像データＰ１は静止画であるため映像シーンの変化に与える影響は小さいので、第１の映像データＰ１の静止画を表示させた後に第２の映像データＱ１のフェードイン処理を行うようにしてもよい。
【００４５】
さらに上記実施例では、ディジタル放送における階層間受信の例として、いわゆるフルセグメント放送とワンワンセグメント放送を例示したが、本発明は、これ以外にも１つのチャンネル内に複数の番組を提供する放送サービスに適用することが可能である。
【符号の説明】
【００４６】
１００：ディジタル放送受信装置      １０９：誤り訂正部
１１０：デマルチプレクサ            １１１、１１２：音声デコーダ
１１３、１１４：映像デコーダ        １１６：音声切換処理部
１１７：映像切換処理部              １２０：描画処理部
２００：バッファメモリ              ２１０：判定部
２２０：変換処理部                  ２１１、２１２：映像データメモリ
２１３、２１４：解析部              ２１５：決定部
【図１】
2010171787.tif 000003
【図２】
2010171787.tif 000004
【図３】
2010171787.tif 000005
【図４】
2010171787.tif 000006
【図５】
2010171787.tif 000007
【図６】
2010171787.tif 000008
【図７】
2010171787.tif 000009
【図８】
2010171787.tif 000010
【図９】
2010171787.tif 000011